(57)【要約】【課題】コンテンツのエンディング音楽を継続して再生しながら、再生済みのコンテンツの映像を、抜粋して再生することにより、鑑賞済みコンテンツの感動の余韻を楽しむことのできる再生装置を提供する。【解決手段】本発明の再生装置は、映像情報と音声情報とを含むコンテンツを再生中に映像情報の中から所定の条件に基づいて映像シーンを選出するシーン選出部４３と、選出した映像シーンの映像情報を記憶する記憶部４４と、記憶した映像シーンの映像情報を加工して出力する映像加工部４５と、音声情報の再生を継続したままで、再生中のコンテンツの映像情報と映像加工部４５の出力のいずれかを選択して映像出力する映像切替部４６とを備える。【選択図】図１
2012256998.tif 000002
【特許請求の範囲】
【請求項１】
映像情報と音声情報とを含むコンテンツを再生中に前記映像情報の中から所定の条件に基づいて映像シーンを選出するシーン選出部と、前記選出した映像シーンの映像情報を記憶する記憶部と、前記記憶した映像シーンの映像情報を加工して出力する映像加工部と、前記音声情報の再生を継続したままで、前記再生中のコンテンツの映像情報と前記映像加工部の出力のいずれかを選択して映像出力する映像切替部とを備えた再生装置。
【請求項２】
前記記憶部は再生装置の電源を切っても前記記憶した情報を保持し、次回電源投入時に前記記憶部に記憶した映像シーンの映像情報を使用することを特徴とする請求項１記載の再生装置。
【請求項３】
前記記憶部は前記シーン選出部が選出した映像シーンのシーン数を記憶し、前記記憶部の前記シーン数がゼロであると前記映像切替部は前記映像加工部の出力を選択せず、前記コンテンツの排出または削除を検知すると、前記記憶部の前記シーン数をゼロに書き換えることを特徴とする請求項１または２に記載の再生装置。
【請求項４】
前記映像加工部が出力中の映像シーンの一つをユーザが選択可能な操作部をさらに備え、前記記憶部は前記シーン選出部で選出された映像シーンの映像情報とともに当該映像情報のコンテンツ上の格納位置を示す位置情報を記憶し、前記ユーザによる前記操作部の映像シーン選択操作を検知すると、前記選択操作で選択された映像シーンの映像情報に対応する位置情報の位置からコンテンツの再生を行うことを特徴とする請求項１〜３のいずれかに記載の再生装置。
【請求項５】
ユーザが操作する操作部をさらに備え、前記記憶部の前記シーン数がゼロか否かで前記操作部の表示形態を変えることを特徴とする請求項３に記載の再生装置。
【請求項６】
ユーザが操作する操作部をさらに備え、前記映像切替部がコンテンツの映像情報と前記映像加工部の出力のいずれを選択しているかに基づいて前記操作部の表示形態を変えることを特徴とする請求項１または２に記載の再生装置。
【請求項７】
前記シーン選出部が前記コンテンツのエンドロールを検出すると、前記映像切替部は前記映像加工部の出力を選択して映像出力することを特徴とする請求項１または２に記載の再生装置。
【請求項８】
映像情報と音声情報とを含むコンテンツを再生する再生装置のコンピュータで実行される再生プログラムであって、前記コンピュータに、前記コンテンツの再生中に前記映像情報の中から所定の条件に基づいて映像シーンを選出するシーン選出ステップと、前記シーン選出ステップで選出した映像シーンの映像情報を記憶する記憶ステップと、前記記憶ステップで記憶した映像シーンの映像情報を加工して出力する映像加工ステップと、前記音声情報の再生を継続したままで、前記再生中のコンテンツの映像情報と前記映像加工ステップの出力のいずれかを選択して映像出力する映像切替ステップとを実行させる再生プログラム。
【発明の詳細な説明】
【技術分野】
【０００１】
本発明は、映画やドラマやアニメなどのコンテンツを再生する、再生装置および再生プログラムに関するものである。
【背景技術】
【０００２】
従来技術として、テレビ放送などを受信してハードディスクなどの記録媒体に格納する際に自動的にチャプタを生成する再生装置が知られている（例えば特許文献１参照）。他の従来技術では、映像を縮小・編集（チャプタ分割等）するものが存在する（例えば特許文献２、特許文献３参照）。これらの技術により、鑑賞したいシーンを効率的に探し出し、再生することができる。
【０００３】
他方、映像をスライドショー等に加工する技術として、例えば、特許文献４のような技術が知られている。これらの技術により、映像を縮小、回転、重畳し、表示することができる。また、音声情報や映像情報から、ビデオ要約を作成することができる特許文献５のような技術が知られている。また、音声と音楽を判別する技術が知られている（例えば特許文献６参照）。
【先行技術文献】
【特許文献】
【０００４】
【特許文献１】特開２００７−１６６４２２号公報
【特許文献２】特開２００６−１２９５２３号公報
【特許文献３】特開平１１−２１５４６６号公報
【特許文献４】特開２００４−３４３４７２号公報
【特許文献５】特開２００７−１４３１１４号公報
【特許文献６】特開２０１０−１５２０１５号公報
【発明の概要】
【発明が解決しようとする課題】
【０００５】
映画やドラマやアニメなどのコンテンツの多くは、エンディングにそのコンテンツの内容を総括させるような魅力的なエンディング音楽が流れ、出演者や製作者などが映像上に文字で紹介される（以下、エンドロールと呼ぶ）。エンディング音楽を聴いていると、それまで鑑賞していた様々なシーンが思い起こされ、感動に浸ることがよくある。ここで、この音楽を聴きながら、もう一度、それまで鑑賞していた映像シーンを見たいと思うことがよくあったが、従来の再生装置ではそのようなことはできなかった。
【０００６】
コンテンツの多くは、製作者が予め編集加工し、コンテンツ格納媒体に格納されたチャプタがあり、これを使って、シーンの検索を行うことができるが、チャプタ画面に移行する際に、再生されていたコンテンツの映像と音声は一旦途切れてしまう。そのため、映像と音声が途切れた瞬間に、それまで鑑賞していたコンテンツへの感動が冷めてしまうという課題があった。
【０００７】
一方、コンテンツ格納媒体がブルーレイディスク（ＢＤ−ＲＯＭ）の場合、製作者が予め編集加工し、コンテンツ格納媒体に格納してあるチャプタを、映像と音声の再生が途切れることなく、オンスクリーン表示することができる再生装置も存在する。しかし、その機能の目的が、シーンの検索を主眼としているため、複数のシーンの表示の大きさが変化しないこと、表示位置が移動しないこと、別のシーンを映像出力するために複数の操作を必要とすることなど、ユーザにとっては、回想シーンの演出を楽しむというよりは、検索する作業に意識が奪われ、同様に、鑑賞していたコンテンツへの感動が冷めてしまうという課題があった。
【０００８】
本発明は、この従来の問題を解決するためになされたもので、コンテンツのエンディング音楽を継続して再生しながら、再生済みのコンテンツの映像を抜粋して、動きのある表示形態で再生することで、鑑賞時に得られた感動の余韻を断ち切ることなく映像を回想して楽しむことができる再生装置を提供することを目的とする。
【課題を解決するための手段】
【０００９】
上記目的を達成するために、本発明の第１の局面は、映像情報と音声情報とを含むコンテンツを再生する再生装置に向けられている。本発明の再生装置は、映像情報と音声情報とを含むコンテンツを再生中に映像情報の中から所定の条件に基づいて映像シーンを選出するシーン選出部と、選出した映像シーンの映像情報を記憶する記憶部と、記憶した映像シーンの映像情報を加工して出力する映像加工部と、音声情報の再生を継続したままで、再生中のコンテンツの映像情報と映像加工部の出力のいずれかを選択して映像出力する映像切替部とを備えている。
【００１０】
また、記憶部は再生装置の電源を切っても記憶した情報を保持し、次回電源投入時に記憶部に記憶した映像シーンの映像情報を使用することを特徴とする。
【００１１】
また、記憶部はシーン選出部が選出した映像シーンのシーン数を記憶し、記憶部のシーン数がゼロであると映像切替部は映像加工部の出力を選択せず、コンテンツの排出または削除を検知すると、記憶部のシーン数をゼロに書き換えることを特徴とする。
【００１２】
また、映像加工部が出力中の映像シーンの一つをユーザが選択可能な操作部をさらに備え、前記記憶部は前記シーン選出部で選出された映像シーンの映像情報とともに当該映像情報のコンテンツ上の格納位置を示す位置情報を記憶し、前記ユーザによる前記操作部の映像シーン選択操作を検知すると、選択操作で選択された映像シーンの映像情報に対応する位置情報の位置からコンテンツの再生を行うことを特徴としている。
【００１３】
また、ユーザが操作する操作部をさらに備え、操作部は画面上に設置されタッチパネルの押下を検出するソフトウェアスイッチで構成され、記憶部のシーン数がゼロか否かでソフトウェアスイッチの表示形態を変えることを特徴としている。
【００１４】
また、ユーザが操作する操作部をさらに備え、操作部は画面上に設置されタッチパネルの押下を検出するソフトウェアスイッチで構成され、映像切替部がコンテンツの映像情報と映像加工部の出力のいずれを選択しているかに基づいてソフトウェアスイッチの表示形態を変えることを特徴としている。
【００１５】
また、シーン選出部がコンテンツのエンドロールを検出すると、映像切替部は映像加工部の出力を選択して映像出力することを特徴としている。
【００１６】
本発明の第２の局面は、映像情報と音声情報とを含むコンテンツを再生する再生装置のコンピュータで実行される再生プログラムに向けられている。本発明の再生プログラムは、コンピュータに、コンテンツの再生中に前記映像情報の中から所定の条件に基づいて映像シーンを選出するシーン選出ステップと、シーン選出ステップで選出した映像シーンの映像情報を記憶する記憶ステップと、記憶ステップで記憶した映像シーンの映像情報を加工して出力する映像加工ステップと、音声情報の再生を継続したままで、再生中のコンテンツの映像情報と前記映像加工ステップの出力のいずれかを選択して映像出力する映像切替ステップとを実行させる。
【発明の効果】
【００１７】
本発明によれば、コンテンツの音声を途切れさせることなく、鑑賞したコンテンツの様々なシーンを振り返り、余韻を楽しむことができる効果を奏する。
【００１８】
また、記憶部は、再生装置の電源を切っても情報を保持するため、次回電源投入時に記憶部に記憶したシーンを使用することができ、再びシーン情報が蓄積されるまでコンテンツ再生するような無駄な時間を省くことができるという効果を有する。
【００１９】
また、記憶部はシーン選出部が選出した映像シーンのシーン数を記憶し、記憶部のシーン数がゼロであると映像切替部は映像加工部の出力を選択せず、コンテンツの排出または削除を検知すると、記憶部のシーン数をゼロに書き換えることを特徴としているので、コンテンツが本再生装置に存在していなければ、回想シーンを鑑賞することはできなくなり、ＡＶコンテンツ製作者の著作権を侵害することがないという効果を有する。
【００２０】
また、映像加工部が出力中の映像シーンの一つをユーザが選択可能な操作部をさらに備え、記憶部はシーン選出部で選出された映像シーンの映像情報とともに当該映像情報のコンテンツ上の格納位置を示す位置情報を記憶し、ユーザによる操作部の映像シーン選択操作を検知すると、選択操作で選択された映像シーンの映像情報に対応する位置情報の位置からコンテンツの再生を行うことを特徴としているので、指定されたシーンの、ＡＶコンテンツの映像、音声再生に復帰することができるという効果を有する。
【００２１】
また、ユーザが操作する操作部をさらに備え、操作部は画面上に設置されタッチパネルの押下を検出するソフトウェアスイッチで構成され、記憶部のシーン数がゼロか否かでソフトウェアスイッチの表示形態を変えることを特徴としているので、回想シーンを鑑賞することができるか否かがわかり、操作性を高めることができるという効果を有する。
【００２２】
また、ユーザが操作する操作部をさらに備え、操作部は画面上に設置されタッチパネルの押下を検出するソフトウェアスイッチで構成され、映像切替部がコンテンツの映像情報と映像加工部の出力のいずれを選択しているかに基づいてソフトウェアスイッチの表示形態を変えることを特徴としているので、回想シーンを再生中か、ＡＶコンテンツを再生中かがわかり、操作性を高めることができるという効果を有する。
【００２３】
また、シーン選出部がコンテンツのエンドロールを検出すると、映像切替部は映像加工部の出力を選択して映像出力することを特徴としているので、操作の手間を省かせることができるという効果を有する。
【図面の簡単な説明】
【００２４】
【図１】本発明の実施の形態における再生装置の機能ブロック図
【図２】本発明の実施の形態における再生装置の外観図
【図３】本発明の実施の形態におけるシーン情報のデータ構成図
【図４】本発明の実施の形態における記憶部４４のデータ構成図
【図５】本発明の実施の形態における記憶部４４のシーン情報群４４Ｓの構成図
【図６】本発明の実施の形態における電源ＯＮ指示時の動作フロー図
【図７】本発明の実施の形態における回想ボタン押下時の動作フロー図
【図８】本発明の実施の形態における排出指示時の動作フロー図
【図９】本発明の実施の形態における電源ＯＦＦ指示時の動作フロー図
【図１０】本発明の実施の形態における映像切替部４６がデコード部４２側（４６Ｄ）の場合の映像出力部１の出力映像のイメージ図
【図１１】本発明の実施の形態における図６のステップＳ６０１からステップＳ６０６の処理のタイミングチャート
【図１２】本発明の実施の形態における映像切替部４６がデコード部４２側（４６Ｄ）で、かつ、シーン数４４Ｃがゼロの場合の映像出力部１の出力映像のイメージ図
【図１３】本発明の実施の形態における映像切替部４６が映像加工部４５側（４６Ｃ）の場合の、映像出力部１の出力映像の動画の画面イメージ図
【図１４】本発明の実施の形態における図７のステップＳ７０２、ステップＳ７０４、ステップＳ７０５の処理のタイミングチャート
【図１５】本発明の実施の形態におけるシーン情報１の映像情報４４ＳＶ１の画面イメージ図
【図１６】本発明の実施の形態におけるシーン情報２の映像情報４４ＳＶ２の画面イメージ図
【図１７】本発明の実施の形態におけるシーン情報３の映像情報４４ＳＶ３の画面イメージ図
【図１８】本発明の実施の形態における映像切替部４６が映像加工部４５側（４６Ｃ）の場合の、映像出力部１の出力映像の画面イメージ図
【図１９】本発明の実施の形態における回想シーン選択中の、映像出力部１の出力映像の画面イメージ図
【図２０】本発明の実施の形態における映像出力部１が複数ある場合の外観図
【発明を実施するための形態】
【００２５】
以下、本発明の実施の形態における、再生装置について図面を参照しながら説明する。
【００２６】
図１は、本発明の実施の形態における再生装置１００の機能ブロック図で、図２は、本発明の実施の形態における再生装置１００の外観図である。図１、図２において、再生装置１００は、映像出力部１、音声出力部２、操作部３、内機部４から構成されている。映像出力部１は、本再生装置１００のユーザに映像を見せるための手段で、映像を表示するための装置として、例えば、液晶ディスプレイや有機ＥＬディスプレイ、プラズマディスプレイ等で構成される。特に図示しないが、映像出力部１は映像調整などの信号処理手段を含んでいても構わない。
【００２７】
音声出力部２は、本再生装置のユーザに、音を聞かせるための手段で、例えば、スピーカーや、イヤホン等を指す。特に図示しないが、音声出力部２は音量調整や、イコライジング、音場制御などの信号処理手段を含んでいても構わない。
【００２８】
操作部３は、本再生装置１００のユーザに、本再生装置を操作させるための手段で、例えば、エスカッションスイッチや、リモコン、映像出力部１に重ねて取り付けられたタッチパネル等を指す。特に図示しないが、内機部４との通信手段を含んでいるものとする。
【００２９】
内機部４は、筺体に覆われた内部に、ＡＶコンテンツが記録されたブルーレイディスク、ＤＶＤ、ＳＤカードなど（以下、ＡＶコンテンツ格納媒体と呼ぶ）を挿入することができる、ＢＤデッキ、ＳＤカードリーダーライターなどを有し、ＣＰＵ、ＲＡＭ、フラッシュＲＯＭ、専用回路、ハードディスク等を有する回路基板で構成される。内機部４は、映像出力部１、音声出力部２、操作部３と、無線、有線を問わない、必要な信号線で接続される。
【００３０】
内機部４と映像出力部１との間には、開閉可能な可動機構があり、ユーザは、開閉部を開くことで、ＡＶコンテンツ格納媒体を挿入することができる。内機部４には、少なくとも電源、および、ＧＮＤ（グランド）が供給される。
【００３１】
次に、内機部４の機能ブロックの構成を説明する。図１に示すように、内機部４は、制御部４１、デコード部４２、シーン選出部４３、記憶部４４、映像加工部４５、映像切替部４６の機能ブロックを有する。
【００３２】
記憶部４４は、フラッシュＲＯＭ、ハードディスクなどで構成され、本再生装置へ電源がＯＮからＯＦＦとされた場合にも、記憶した情報は保持される。制御部４１、デコード部４２、シーン選出部４３、記憶部４４、映像加工部４５、映像切替部４６は、専用回路を用いてハードウェア的に構成してもよいし、ＣＰＵ内のプログラムとしてソフトウェア的に構成してもよい。図１の点線矢印は制御情報の接続を示している。
【００３３】
制御部４１は、操作部３、および、デコード部４２、シーン選出部４３、記憶部４４、映像加工部４５、映像切替部４６と、制御情報の接続を有する。制御部４１は、操作部３からの通知をユーザ操作の制御情報として受け取り、内機部４の各機能ブロックを制御する。デコード部４２は、本再生装置に挿入された、ＡＶコンテンツ格納媒体から、ＡＶコンテンツをデコードし、デコードした音声情報、映像情報、および、ＡＶコンテンツ格納媒体上の位置情報を出力する機能を有する。
【００３４】
デコード部４２の出力である音声情報は、シーン選出部４３、および、音声出力部２に入力される。デコード部４２の出力である映像情報は、シーン選出部４３、映像加工部４５、および、映像切替部４６に入力される。
【００３５】
デコード部４２の出力である位置情報は、シーン選出部４３に入力される。また、デコード部４２は、ＡＶコンテンツ格納媒体が本再生装置に挿入されている状態と、挿入されていない状態を監視する機能を有しており、制御部４１からの問い合わせに応じて、制御部４１にＡＶコンテンツ格納媒体の有無を通知する。
【００３６】
また、デコード部４２は、電源ＯＮ中は、最後に再生した映像のＡＶコンテンツ格納媒体上の格納位置をラスト位置として保持しており、デコード開始指示を制御部４１より指示されたときは、この位置からＡＶコンテンツのデコードを開始する。ＡＶコンテンツ挿入時には、このラスト位置は、ＡＶコンテンツ格納媒体上の先頭位置となるため、ＡＶコンテンツの先頭からデコードが開始される。
【００３７】
シーン選出部４３は、デコード部４２の出力である、音声情報、映像情報、ＡＶコンテンツ格納媒体上の位置情報を入力とし、入力された音声情報、映像情報を、時間軸上で解析し、所定の条件に従って映像シーンを選出し、選出したシーンのシーン情報を記憶部４４に出力する機能を有する。所定の条件とは、例えば、経過時間や、前フレームとの平均輝度の差が大きいことや、音声情報の振幅の変化などである。
【００３８】
図３にシーン選出部４３の出力するシーン情報のデータ構成を示す。図３に示すように、シーン情報は、該当するシーンの映像情報ＳＶと、該当するシーンが格納されたＡＶコンテンツ上の格納位置を示す、位置情報ＳＰからなる。記憶部４４は、シーン選出部４３の出力であるシーン情報を入力とし、シーン選出部４３からシーン情報が入力されるたびに、シーン情報を追加して記憶する機能、および、シーン数を記憶する機能を有する。
【００３９】
図４に記憶部４４のデータ構成を示す。図４に示すように、記憶部４４のデータは、選出されたシーン数が格納されるシーン数４４Ｃと、シーン情報群４４Ｓから成る。
【００４０】
図５に、記憶部４４における、シーン情報群４４Ｓのデータ構成を示す。図５に示すように、シーン情報群４４Ｓは、シーン数４４Ｃ分のシーン情報からなり、シーン数４４Ｃがｎ個の場合、シーン情報群４４Ｓはシーン情報１（４４Ｓ１）、シーン情報２（４４Ｓ２）、・
・・、シーン情報ｎ（４４Ｓｎ）で構成される。
【００４１】
以降、本書の説明では、シーン情報１の映像情報は４４ＳＶ１、位置情報は４４ＳＰ１、シーン情報２の映像情報は４４ＳＶ２、位置情報は４４ＳＰ２のように記載するものとする。
【００４２】
図１における映像加工部４５は、デコード部４２の出力である動画としての映像情報と、記憶部４４の静止画としての映像情報を入力として加工を施し、動画としての映像情報を映像切替部４６に出力する機能を有する。映像加工部４５は、少なくとも記憶部４４のシーン情報群４４Ｓの映像情報ＳＶを順次加工出力の対象とすることを特徴とする。
【００４３】
施す加工は、記憶部４４のシーン情報群４４Ｓの静止画としての映像情報ＳＶの、１つまたは複数を、縮小させたり、回転させたりして、デコード部４２の出力である動画としての映像情報に重畳させたり、ディゾルブ、ワイプなどで合成させたり、シーン情報群４４Ｓの映像情報ＳＶを拡大した中から一部の表示位置を抜き取り、時間軸に沿って、大きさや表示位置を少しずつ移動させる、いわゆるスライドショーのような動画として出力したりするものである。
【００４４】
図１における映像切替部４６は、デコード部４２の出力映像情報と、映像加工部４５の出力映像情報とを入力とし、制御部４１の指示に従って、二つの入力からどちらか一つを選択し、映像情報を映像出力部１に出力する手段である。映像切替部４６の入力端子４６Ｄには、デコード部４２の出力映像情報が、もう一つの入力端子４６Ｃには、映像加工部４５の出力映像情報が接続される。映像切替部４６の出力映像情報は、映像出力部１に接続される。
【００４５】
内機部４は以上のような機能ブロックにて構成される。
操作部３は、ＡＶコンテンツの、再生、停止、ポーズ、早送り、巻き戻し、スキップ送り、スキップ戻し、音量調整、映像調整、などの操作手段と共に、少なくとも、電源ＯＮ、電源ＯＦＦ、ＡＶコンテンツの排出を指示する操作手段、および、映像切替部４６の選択状態を切り替える回想ボタン３１を有する。
【００４６】
以上のように構成された本再生装置について、図６から図９を用いて、処理動作を説明する。
図６は、電源ＯＮ指示時の動作フロー、図７は、回想ボタン押下時の動作フロー、図８は、排出指示時の動作フロー、図９は、電源ＯＦＦ指示時の動作フローを示す。本再生装置の立ち上がりは、電源ＯＮ指示時の動作フローである図６に示すフローで動作する。回想ボタン押下時、排出指示時、電源ＯＦＦ指示時には割り込みが入り、優先順位に応じて、処理が移行する。具体的には以下のように動作する。
【００４７】
図６に示す電源ＯＮ指示時の動作フロー実行中に、回想ボタン押下時、排出指示時、電源ＯＦＦ指示時は、割り込みが入り、それまでの図６に示す電源ＯＮ指示時の処理を中断し、割り込み後の処理に移行する。また、図７に示す回想ボタン押下時の処理実行中に、回想ボタン押下時、排出指示時、電源ＯＦＦ指示時は、それまでの図７における処理を中断し、割り込み後の処理に動作が移行する。あえて記すが、図７に示す回想ボタン押下時の処理実行中に、回想ボタン押下時の割り込みも有効となる。この場合は、割り込み前の図７における処理を中断し、再び、図７におけるステップＳ７０１に処理が移行する。
【００４８】
図８に示す排出指示時の処理実行中、および、図９に示す電源ＯＦＦ指示時の処理実行中には、割り込みは受け付けず、動作フローが最後まで継続される。なお、図６から図９において、丸型の中に数字が記載されている図形を以降の説明で、フロー端子と呼ぶことにする。フロー端子は、処理の移行の目印のために存在し、処理は何も行なわず、次のステップに移行する。
【００４９】
次に、図６を用いて、本装置の電源がＯＮされた場合の動作フローを説明する。本再生装置の電源がＯＮされると、図６におけるステップＳ６０１より動作が始まる。ステップＳ６０１はフロー端子で何も動作せずステップＳ６０２に進む。ステップＳ６０２で、制御部４１は、デコード部４２に問い合わせ、ＡＶコンテンツの有無を確認する。ＡＶコンテンツが有であれば、ステップＳ６０３へ進み、無であれば、ステップＳ６０２へ進む。すなわち、コンテンツが有になるか、回想ボタンが押下され、割り込みによりステップＳ７０１へ移行するか、排出指示されるか、電源ＯＦＦがユーザにより操作されるまで、ステップＳ６０２を繰り返す。
【００５０】
ステップＳ６０３で、制御部４１は、映像切替部４６をデコード部側（４６Ｄ）に切り替え、ステップＳ６０４に進む。ステップＳ６０４で、制御部４１は、デコード部４２にデコード開始を、また、シーン選出部４３にシーン選出開始を指示する。デコード部４２は、制御部４１からのデコード開始指示によりデコードを開始し、映像情報、音声情報、ＡＶコンテンツ格納媒体上の位置情報の出力をする。以降、デコード部４２は、制御部４１からデコード停止指示があるまでデコードを継続する。
【００５１】
デコードされた音声情報は、図１における音声出力部２に出力され、音声出力部２よりＡＶコンテンツの音声情報が音声出力される。デコードされた映像情報は、図１における映像切替部４６を通り、映像出力部１に出力され、映像出力部１よりＡＶコンテンツの映像情報が映像出力される。これにより、映像出力部１には、例えば、図１０に示すような画面が動画で表示される。
【００５２】
また、シーン選出部４３は、制御部４１からのシーン選出開始指示によりシーン選出を開始し、シーン選出、すわなち、予め定められたシーン選出条件に合致するかの判定を開始する。これらの動作が図６におけるステップＳ６０４で行われた後、動作フローは、ステップＳ６０５に進む。
【００５３】
ステップＳ６０５は、シーン選出部４３によるシーン選出条件が合致したかの判定の分岐を示す。合致していれば、ステップ６０６に進み、合致していなければ、再びステップＳ６０５で次のフレームがシーン選出条件に合致するかの判定を行う。図１におけるシーン選出部４３のシーン選出処理は、制御部４１からのシーン選出停止指示があるまで継続して行われる。
【００５４】
ステップＳ６０６で、制御部４１は、記憶部４４のシーン情報群４４Ｓに、シーン選出部４３から出力されたシーン情報を追加し、シーン数４４Ｃを１つ増加する。増加前のシーン数が０であれば、シーン情報１（４４Ｓ１）に、増加前のシーン数が１であれば、シーン情報２（４４Ｓ２）に、シーン選出部４３から出力されたシーン情報を書き込む。続いて、ステップＳ６０５に進み、シーン選出部４３は、再び次のフレームがシーン選出条件に合致するかの判定を行う。
【００５５】
図１１に、図６におけるステップＳ６０１からステップＳ６０６の処理のタイミングチャートを示す。図１１の横軸は時間軸である。図１１に示すように、ＡＶコンテンツ有の検出をトリガーに、デコード部４２はデコードを開始し、シーン選出部４３はシーン選出を開始する。シーン選出部４３によるシーン選出の度に、記憶部４４のシーン数４４Ｃは増加され、シーン情報４４Ｓも蓄積されていく。シーン選出とは無関係に、映像出力部１、音声出力部２では、ＡＶコンテンツの映像出力、音声出力が行われる。
【００５６】
以上のように、本再生装置は、電源ＯＮ指示時、ＡＶコンテンツが有の場合、ＡＶコンテンツの音声と映像が音声出力部２、映像出力部１から出力されると共に、予め定められた条件に合致したシーン情報が、記憶部４４に蓄積されるという特徴を持つ。
【００５７】
次に、図７を用いて、図１における操作部３の回想ボタン３１が押下された場合の割り込み発生時の動作フローを説明する。電源ＯＮ指示時の動作、すなわち、図６に示す処理実行中に、回想ボタン３１が押下されると、それまでの図６における処理は中断され、図７におけるステップＳ７０１に処理が移行する。ステップＳ７０１で、制御部４１は、映像切替部４６がデコード部４２側（４６Ｄ）であるかが判定する。デコード部４２側（４６Ｄ）であれば、ステップ７０２に進み、デコード部４２側（４６Ｄ）ではなく映像加工部４５側（４６Ｃ）であれば、図７の処理は終了し、図６におけるステップ６０１に進む。
【００５８】
図１における映像切替部４６が映像加工部４５側（４６Ｃ）であるのは、映像出力部１が、映像加工部４５の出力である回想シーンを再生中であることを意味する。よって、回想シーン再生中に、回想ボタン３１が押下されると、図６で説明したように、映像切替部４６がデコード部４２側（４６Ｄ）に切り替わり、デコードがラスト位置より再開される。
すなわち、最後に再生された位置から、ＡＶコンテンツの音声と映像が音声出力部２、映像出力部１から出力される。また、デコードがラスト位置より再開されるので、シーン選出処理も、ラスト位置から再開され、引き続き予め定められた条件に合致したシーン情報が、記憶部４４に蓄積される。
【００５９】
説明を図７の動作フローに戻す。図７におけるステップＳ７０２で、制御部４１は、記憶部４４のシーン数がゼロであるか判定する。ゼロであれば、ステップＳ７０３に進み、ゼロでなければ、ステップＳ７０４に進む。ステップＳ７０３で、制御部４１は、例えば「回想シーンがありません」などの操作案内を、例えば１秒程度などの一定時間だけ、映像切替部４６の出力映像情報に重畳して出力する。これにより、映像出力部１には、例えば、図１２に示すような画面が表示される。続いて図７の処理は終了し、図６におけるステップ６０１に進む。
【００６０】
このように、制御部４１は、回想ボタン３１が押下されると、映像切替部４６の状態により処理を変え、特に、映像切替部４６がデコード部４２側（４６Ｄ）にある場合は、記憶部４４のシーン数４４Ｃがゼロであるかを検査し、ゼロであれば、映像切替部４６を映像加工部４５側（４６Ｃ）に切り替えないので、回想再生は行われないという特徴を持つ。
【００６１】
次に、図７における、ステップＳ７０４からステップＳ７０５で、映像出力部１の映像がＡＶコンテンツの再生から、記憶部４４に記憶したシーン情報群４４Ｓを使って加工した映像である、回想シーンの再生に変化する部分の説明を行う。図７におけるステップＳ７０４で、制御部４１は、映像加工部４５に映像加工開始を指示する。図１における映像加工部４５は、デコード部４２の出力である、動画としての映像情報と、記憶部４４の静止画としての映像情報を入力として加工を施し、動画としての映像情報を、映像切替部４６に出力する。
【００６２】
続いて図７におけるステップＳ７０５で、制御部４１は、映像切替部４６を映像加工部４５側（４６Ｃ）に切り替える。これにより、映像出力部１には、例えば、図１３のような画面が表示される。図１３は、動画としての映像情報をわかりやすく説明するため、映像出力部１の映像出力が変化する様子を、一定フレーム毎のコマ送りの静止画の画面イメージとして、（１）から（２０）まで順番に示したものである。
【００６３】
図１３は、（６）のタイミングで、回想ボタンが押下された場合の映像出力部１の画面イメージを示している。図１３の画面イメージは、ＡＶコンテンツの終盤部分でよく見かけるエンドロールで、ＡＶコンテンツに関わった出演者や製作にかかわった人々や会社などの名前が文字表示されたものが、画面の下から上に流れていく様子を示している。
【００６４】
図１４に、図７におけるステップＳ７０２、ステップＳ７０４、ステップＳ７０５の処理のタイミングチャートを示す。図１４における、操作部３の操作として回想ボタン３１が押下されるまでの処理は、既に図１１にて説明した通りで、記憶部４４にシーン情報１、シーン情報２、シーン情報３、を記憶していたものとする。また、シーン情報１の映像情報４４ＳＶ１の画面イメージは図１５、シーン情報２の映像情報４４ＳＶ２の画面イメージは図１６、シーン情報３の映像情報４４ＳＶ３の画面イメージは図１７に示すものであったとする。
【００６５】
図１４に示すように、回想ボタン３１押下により、映像加工部４５は、映像出力を開始し、映像切替部４６は、デコード部４２側（４６Ｄ）から、映像加工部４５側（４６Ｃ）に切り替わる。これにより、図１４における、映像出力部１の映像出力は、ＡＶコンテンツの映像出力１４０１、（図１３では（１）から（５）が該当）から、映像加工部４５の出力映像１４０２（図１３の（６）から（２０）が該当）に変化する。
【００６６】
図１３は、映像加工部４５の加工方法が、デコード部４２の映像出力に、記憶部４４の映像情報をスライドショーで重ね合わせた例である。シーン情報１の映像情報４４ＳＶ１の画面イメージである図１５が、図１３の（６）から（１０）にかけて、画面の左上からスタートして画面の右下に移動していく中で、縮小表示されたものがだんだん拡大表示され、図１３（８）で画面いっぱいになり、再び、縮小表示され画面からなくなっていく様子を示している。図１３の（１１）から（１５）は、シーン情報２の映像情報４４ＳＶ２の画面イメージである図１６が同様に、画面の右下から左上に、図１３の（１６）から（２０）は、シーン情報３の映像情報４４ＳＶ３の画面イメージである図１７が同様に、画面の右上から左下に移動していく様子を示している。
【００６７】
図１４に示すように、本再生装置は、映像切替部４６が映像加工部４５側（４６Ｃ）にある場合でも、デコード部４２はデコード中であるため、図１３のようにデコード部４２の映像出力と記憶部４４の映像情報を重畳したような映像加工を出力することができるとともに、図１４に示すように、回想ボタン３１押下によって、映像出力部１が映像加工部４５の映像出力に切り替わっても、音声出力部２は引き続き、デコード部４２の音声出力を継続するので、音声が途切れない状態で、回想シーンである映像加工部４５の映像出力を行うことができる。
【００６８】
なお、映像加工部４５の加工方法は、既に説明したように、図１３に示した例に限らずさまざまな加工が可能である。このようにして、回想ボタン３１をユーザが押下すると、それまでシーン選出部４３によりシーン選出され、記憶部４４に蓄積されていたシーン情報群４４Ｓの映像情報ＳＶが、回想シーンとして、映像加工部４５により自動的に順次加工される。映像切替部４６のデコード部４２側から映像加工部４５側へ切り替わることにより、映像出力部１の出力映像が、ＡＶコンテンツの映像から、映像加工部４５の、自動時に順次加工出力される回想シーン映像に切り替わる。それにより、シーン検索作業のような、感動や余韻の断ち切りがなく、かつ、音声出力部２の出力は、ＡＶコンテンツの音声が継続されるので、音声が無音になることもなく、感動や余韻の断ち切りのない、回想シーン鑑賞をすることができるという効果を有する。
【００６９】
次に、再び、説明を図７の動作フローに戻し、回想再生中に、特定のシーンのＡＶコンテンツの再生に復帰するための動作を説明する。回想シーン鑑賞を開始した、図７におけるステップＳ７０５の動作は、続いて、ステップＳ７０６に進む。ステップＳ７０６では、図１３のような映像加工部４５の映像が出力されている状態で、回想シーン選択指示の検出判定を行う。検出されれば、ステップＳ７０７に進み、検出されなければ、ステップＳ７０６に進み、再び、回想ボタンが押下され、割り込みによりステップ７０１へ移行するか、排出指示されるか、電源ＯＦＦがユーザにより操作されるまで、ステップ７０６を繰り返す。
【００７０】
復帰する回想シーンの選択指示は、ユーザにより操作部３を使って行われる。タッチパネルとしての操作部３により、回想中のシーンをタッチ選択することによって行ってもよいし、操作部３にカーソル移動ボタン、決定ボタンを設けて行ってもよい。例えば、図１８は、映像加工部４５の加工出力の一例として、シーン情報１、シーン情報２、シーン情報３の映像情報４４ＳＶ１、４４ＳＶ２、４４ＳＶ３を重ね合わせたものであるが、この画面イメージの状態で、ユーザが操作部３のカーソル移動ボタンを押下すると、図１９に示すように、回想シーンを太枠カーソルにより指し示し、決定ボタンにより回想シーンの選択指示を行ってもよい。
【００７１】
また、画面イメージが図１３の場合、図１３の（６）から（１０）のタイミングでタッチパネルをタッチしたり、決定ボタンを押下すると、シーン情報１（４４Ｓ１）が選択されたものとして扱ってもよい。以上のようにして回想シーンが選択されると、図７におけるステップＳ７０７で、制御部４１は、デコード部４２にデコード停止を、シーン選出部４３にシーン選出停止を指示する。また、制御部４１は、ステップＳ７０６で復帰指示された、シーン情報の位置情報ＳＰを記憶部４４から取得し、デコード部４２のデコード位置を、取得した格納位置に指示し、図６におけるステップＳ６０１に進む。
【００７２】
既に説明したように、図６におけるステップＳ６０３で、映像切替部４６がデコード部４２側に切り替わり、デコード部４２は、指定された位置よりデコードを開始する。これにより、映像出力部１、音声出力部２の出力は、指定されたシーンの、ＡＶコンテンツの映像、音声再生に復帰することができる。なお、シーン選出部４３のシーン選出条件に、記憶部４４のシーン数から最後に記録したシーン情報の位置情報と、デコード部のラスト位置を比較することにより、すでに選出したシーンの記録を避けることができる。
【００７３】
次に、図８を用いて、排出指示時の処理について説明する。既に説明したように、図６に示した電源ＯＮ指示時の処理中、および、図７に示した回想ボタン押下時の処理中に、排出指示がユーザにより指示されると、それまでの処理は中断され、図８におけるステップＳ８０１に処理が移行する。なお、図９に示す電源ＯＦＦ指示時の処理中の排出指示は無視される。
【００７４】
図８におけるステップＳ８０１で、制御部４１は、デコード部４２にデコード停止を、シーン選出部４３にシーン選出停止を指示する。デコード部４２は、制御部４１からの指示を受け、デコード中であれば、デコードを停止する。デコード中でなければ何もしない。
シーン選出部４３は、制御部４１からの指示を受け、シーン選出中であれば、シーン選出を停止する。シーン選出中でなければ何もしない。次に、ステップＳ８０２に進み、制御部４１は、記憶部４４のシーン数をゼロに書き換える。次に、ステップＳ８０３に進み、制御部４１は、デコード部４２にＡＶコンテンツを排出指示する。デコード部４２は、ＡＶコンテンツがあれば排出し、なければ何もしない。
【００７５】
これで、図８の処理は終了し、図６におけるステップＳ６０１に進む。図６におけるステップＳ６０１からステップＳ６０２に進み、再びコンテンツ有が検出されるまで、ステップＳ６０２を繰り返す。このようにして、排出指示がユーザにより指示されると、記憶部４４のシーン数がゼロに書き換えられるので、以降、ユーザにより回想ボタン３１が押下されても図７におけるステップＳ７０２によりシーン数がゼロと判定され、回想シーンは再生されなくなる。すわなち、ＡＶコンテンツが本再生装置に存在していなければ、回想シーンを鑑賞することはできなくなり、ＡＶコンテンツ製作者の著作権を侵害することがないという効果を有する。
【００７６】
続いて、図９を用いて、電源ＯＦＦ指示時の処理について説明する。既に説明したように、図６に示した電源ＯＮ指示時の処理中、および、図７に示した回想ボタン押下時の処理中に、電源ＯＦＦ指示がユーザにより指示されると、それまでの処理は中断され、図９におけるステップＳ９０１に処理が移行する。図８に示す排出指示時の処理中の電源ＯＦＦ指示はステップＳ８０３の排出処理が終了し、図６におけるステップＳ６０１に処理が移行してから、図９におけるステップＳ９０１が開始される。
【００７７】
図９におけるステップＳ９０１で、制御部４１は、デコード部４２にデコード停止を、シーン選出部４３にシーン選出停止を指示する。デコード部４２は、制御部４１からの指示を受け、デコード中であれば、デコードを停止する。デコード中でなければ何もしない。シーン選出部４３は、制御部４１からの指示を受け、シーン選出中であれば、シーン選出を停止する。シーン選出中でなければ何もしない。
【００７８】
次に、ステップＳ９０２に進み、制御部４１は、本装置の電源をＯＦＦし、本再生装置の動作が終了する。ここで、電源ＯＦＦ指示時の処理と、排出指示時の処理の違いは、図８に示した排出指示時の処理において、ステップＳ８０２で、制御部４１が記憶部４４のシーン数をゼロに書き換えているのに対して、図９に示した電源ＯＦＦ指示時の処理では、記憶部４４のシーン数をゼロに書き換える処理を行わない点である。
【００７９】
このように、電源ＯＦＦ指示時は、記憶部４４のシーン数をゼロに書き換えないので、ＡＶコンテンツが本装置に存在していれば、引き続き、電源ＯＮ指示時の処理が開始されたとき、記憶部４４に記憶された選出シーンである回想シーンは、そのまま維持される。そのため、ＡＶコンテンツの終了まで鑑賞していない状態で電源をＯＦＦしても、次回、電源ＯＮ時に再び、記憶部４４に記憶された回想シーンを生かして、回想シーンの鑑賞を楽しむことができるという効果を有する。
【００８０】
以上のように、本再生装置では、回想ボタン３１をユーザが押下すると、それまでシーン選出部４３によりシーン選出され、記憶部４４に蓄積されていたシーン情報群４４Ｓの映像情報ＳＶが、回想シーンとして、映像加工部４５により自動的に順次加工され、映像切替部４６のデコード部４２側から映像加工部４５側へ切り替わる。それにより、映像出力部１の出力映像が、ＡＶコンテンツの映像から、映像加工部４５の、自動時に順次加工出力される回想シーン映像に切り替わるので、シーン検索作業のような、感動や余韻の断ち切りがなく、かつ、音声出力部２の出力は、ＡＶコンテンツの音声が継続されるので、音声が無音になることもなく、感動や余韻の断ち切りのない、回想シーン鑑賞をすることができるという効果を有する。
【００８１】
また、制御部４１は、回想ボタン３１押下時にシーン数４４Ｃを検査し、ゼロの場合は、映像加工部４５側（４６Ｃ）に切り替えない処理を行っており、排出指示がユーザにより指示されると、記憶部４４のシーン数がゼロに書き換えるので、ＡＶコンテンツが本再生装置に存在していなければ、回想シーンを鑑賞することはできなくなり、ＡＶコンテンツ製作者の著作権を侵害することがないという効果を有する。
【００８２】
また、電源ＯＦＦ指示時は、記憶部４４のシーン数をゼロに書き換えないので、ＡＶコンテンツが本装置に存在していれば、次回、電源ＯＮ時に、再びシーン情報が蓄積されるまでＡＶコンテンツ再生するような無駄な時間を省き、記憶部４４に記憶された回想シーンを生かして、回想シーンの鑑賞を楽しむことができるという効果を有する。
【００８３】
なお、ＡＶコンテンツはＤＶＤやブルーレイディスクなどの光ディスクや、ＳＤカード等の記憶媒体に限定されるものではなく、例えばハードディスクを記憶媒体とする場合であっても、同様の効果を実現できる。ＡＶコンテンツがハードディスクに記憶されている場合は、前記排出と記された部分を削除と読み替えることによって、同様の効果を実現できる。このようにすることによって、例えばテレビジョン放送などを録画する機能を有する再生装置にも、本発明を適用することができる。
【００８４】
また、本実施の形態では、記憶部４４に保存する映像情報は１フレーム分の静止画としたが、１フレーム分に限定されるものではなく、動画であっても良い。この場合は記憶部４４の記憶容量を大きくする必要があるが、より魅力的な回想シーンの鑑賞を提供することができる。
【００８５】
また、操作部３の回想ボタン３１は、本実施の形態では、リモコンやエスカッションスイッチの物理的ボタンを押下することを想定して説明したが、リモコンやエスカッションスイッチに限らず、画面上に設置されタッチパネルのタッチで押下するようなソフトウェアスイッチであってもよい。このようにすることで、部品点数を減らし、本再生装置の製作コストを抑えることができる。
【００８６】
また、記憶部４４のシーン数４４Ｃがゼロより大きくなった場合に、物理的回想ボタンを光らせて点滅、点灯、明るさ、色などで変化をつけるなどすることで選択可能となったことをユーザに知らせたり、ソフトウェアスイッチとして、シーン数４４Ｃがゼロの場合は表示せず、ゼロより大きくなった場合に表示させるなど表示形態を変えてもよい。このようにすることで、回想シーンを鑑賞することができるか否かがわかり、操作性を高めることができる。
【００８７】
また、物理的回想ボタンを光らせ、映像切替部４６が映像加工部４５側（４６Ｃ）にある場合とデコード部４２側（４６Ｄ）にある場合で光の点滅、点灯、明るさ、色などで変化をつけるなどすることで表示形態を変えてもよい。このようにすることで、回想シーンを再生中か、ＡＶコンテンツを再生中かがわかり、操作性を高めることができる。上記同様に物理的回想ボタンに変えて、ソフトウェアスイッチとして、映像切替部４６が映像加工部４５側（４６Ｃ）にある場合とデコード部４２側（４６Ｄ）にある場合で表示形態を変えても同様の効果が得られる。
【００８８】
また、シーン選出部４３に、映画などのエンドロール（終幕に流されるスタッフロール）を検出して制御部４１に通知する機能を持たせ、制御部４１は映像加工部４５、映像切替部４６にエンドロールを検出したことを通知することにより、操作部３の操作を行わずに、自動的に回想再生に移行するようにしてもよい。このようにすることで、ユーザに操作の手間を省かせることができる。また、この場合は、自動回想再生機能を有効、無効にする設定を設けてもよい。このようにすることで、自動回想再生を望まないユーザの要望にもこたえることができる。また、エンドロールを検出した場合に記憶部４４のシーン数４４Ｃがゼロより大きければ、それ以外の状態と異なる表示状態に操作部３を変えてもよい。このようにすることで、より適切なタイミングで、かつ、ユーザの、回想再生を望む、望まないの、その時の要望にこたえることができる。物理的回想ボタンの表示状態の変化は、点滅、点灯、明るさ、色などで変化をつけることができる。また、ソフトウェアスイッチとして表示する、しないの区別などで変化をつけてもよい。いずれにしても、鑑賞の気分を損ねないよう、映像より目立たないことが望ましい。
【００８９】
エンドロールを検出する方法としては、文字が流れていることを検出する、ＡＶコンテンツの時間情報が終盤であることを検出する、音楽が流れている事を検出する等の方法がある。
【００９０】
また、本発明の再生装置は、映像出力部１を一つに限定するものではなく、図２０に示すように、映像出力部１を複数持つような装置においても、適用することができる。このようにすることで、複数のユーザが同時に回想再生を鑑賞することができる。
【００９１】
また、本発明の再生装置の、映像出力部１と音声出力部２は、単に、映像出力端子、音声出力端子とし、映像を見せるためのディスプレイ、音を聞かせるためのスピーカーなどを、別の装置に備えたものを使った構成とすることもできる。このようにすることで、再生装置の小型化を図ることができると共に、ユーザが所望の表示装置、音声出力装置を使用することができる。
【００９２】
また、本発明は、上述した実施の形態を実現するソフトウェアのプログラム（実施の形態では図に示すフロー図に対応したプログラム）が装置に供給され、その装置のコンピュータが、供給されたプログラムを読出して、実行することによっても達成させる場合を含む。したがって、本発明の機能処理をコンピュータで実現するために、コンピュータにインストールされるプログラム自体も本発明を実現するものである。つまり、本発明は、本発明の機能処理を実現させるための再生プログラムも含む。
【００９３】
このように、本発明によれば、コンテンツの音声を途切れさせることなく、鑑賞したコンテンツの様々なシーンを振り返り、余韻を楽しむことができる再生装置および再生プログラムを提供することができる。
【００９４】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００９５】
本発明の再生装置は、鑑賞していたＡＶコンテンツの余韻を楽しむことができるという効果を有し、家庭に設置されたホーム用、車に設置された車載用、持ち運び可能なポータブル用等の再生装置として有用である。
【符号の説明】
【００９６】
１    映像出力部
２    音声出力部
３    操作部
４    内機部
３１    回想ボタン
４１    制御部
４２    デコード部
４３    シーン選出部
４４    記憶部
４４Ｃ    シーン数
４４Ｓ    シーン情報群
４４ＳＶ    シーン情報の映像情報
４４ＳＰ    シーン情報の位置情報
４５    映像加工部
４６    映像切替部
１００    再生装置
【図１】
2012256998.tif 000003
【図２】
2012256998.tif 000004
【図３】
2012256998.tif 000005
【図４】
2012256998.tif 000006
【図５】
2012256998.tif 000007
【図６】
2012256998.tif 000008
【図７】
2012256998.tif 000009
【図８】
2012256998.tif 000010
【図９】
2012256998.tif 000011
【図１０】
2012256998.tif 000012
【図１１】
2012256998.tif 000013
【図１４】
2012256998.tif 000014
【図２０】
2012256998.tif 000015
【図１２】
2012256998.tif 000016
【図１３】
2012256998.tif 000017
【図１５】
2012256998.tif 000018
【図１６】
2012256998.tif 000019
【図１７】
2012256998.tif 000020
【図１８】
2012256998.tif 000021
【図１９】
2012256998.tif 000022